(57)【要約】【課題】リクライニング機能を備えたクッション型座椅子であって、複数個の座椅子を並べて設置する場合の使用態様に好適に対応しうる座椅子を提供する。【解決手段】単位座椅子１の座部２の左右両側縁に、先端にファスナー９を備えた柔軟な連結片８による連結手段７を設け、隣接して設置される座椅子どおしをルーズな連結状態に連結可能なものとする。【選択図】図１
0003138964.tif 000002
【実用新案登録請求の範囲】
【請求項１】
床面に直接載置して使用される、背もたれ部の角度調節自在なクッション型座椅子であって、
座部の左右両側縁に、隣接配置される座椅子の座部の対応側縁と連結分離自在とする連結手段が設けられていることを特徴とする連結可能なクッション型座椅子。
【請求項２】
連結手段は、座部の両側縁から外方に突出して設けられた柔軟な素材からなる連結片と、該連結片の外方の先端部に設けられたファスナーとからなる請求項１に記載の連結可能なクッション型座椅子。
【請求項３】
連結手段における前記連結片は、帯状布片からなり、その基端側の一側縁部が座部の側面部に該座部のほぼ全長に亘って逢着して取付けられてなる請求項２に記載の連結可能なクッション型座椅子。
【請求項４】
前記連結片は、座部の側面部から外方に２０〜５０ｍｍの範囲で突出され、その先端部にファスナーが設けられてなる請求項１〜３のいずれか１項に記載の連結可能なクッション型座椅子。
【請求項５】
前記ファスナーが線ファスナーからなる請求項１〜４のいずれか１項に記載の連結可能なクッション型座椅子。
【考案の詳細な説明】
【技術分野】
【０００１】
本考案は、家庭用の座椅子、とくに座部を床面上に直接載置して使用されるクッション型の座椅子に関する。
【背景技術】
【０００２】
従来、この種のクッション型座椅子として、下記特許文献１、２に示されるようなものが広く公知である。
【特許文献１】特開２００３−２４１６８号公報
【特許文献２】特開２００６−３４０８７６号公報
【０００３】
従来公知のこれらの座椅子は、基本的に、クッション性の座部とその後縁に関節金具を介して連接された背もたれ部とを有し、背もたれ部を任意の傾斜角度に段階的にあるいは無段階に調節しうるようになされたリクライニング式のものであり、座卓の使用時とかテレビ視聴時等の胡坐用あるいは正坐用の簡易な補助具として使用されるものであった。
【０００４】
ところが、近時、住宅事情や経済的理由により、あるいは室内での生活嗜好の変化により、本来の家具である大型のソファや応接セットに代わる簡易家具として、複数個のクッション型座椅子を並べて設置して安楽椅子代りに、あるいは横臥休息用に使用されることが増えつつある傾向にある。
【０００５】
ところが、単に室内の床面上に複数個を並べて置いた場合はもとより、室内の壁面に沿わせてその前に並べて置いたような場合にも、個々の座椅子が独立したものであるために設置状体での位置的安定性に劣り、往々にして隣接する座椅子が離間してしまうため、乱雑さを外観させるものとなって見栄えが悪い難点がある。また、背もたれ部を水平状態にまで展開してフラットなマット状の敷材として使用するような場合にあっても、並べて配置した２つの座椅子が離れてしまい易いため、使い勝手の悪いものとなるというような難点があった。
【考案の開示】
【考案が解決しようとする課題】
【０００６】
本考案は、上記のような最近の、特に比較的若い世代の人達の座椅子の用法・用途展開の新たな傾向に着目して、室内空間内における椅子の設置スペースの大きさや形状に合わせて２連あるいは３連以上の組合せ状態で複数個の座椅子を並べて体裁良く設置することができ、恰も一般家具としてのソファーにも似た用途に都合良く使用でき、かつ隣接する座椅子どおしが過度に干渉することのない好ましい使用感を実現できるのに加えて、展開状態で平面状のクッション性のマット状敷材として横臥休息用等に使用する場面においても、使い勝手の良いものとなしうるクッション型座椅子を提供することを目的とする。
【課題を解決するための手段】
【０００７】
本考案者は、上記の課題のもとに、その解決をはかるべく種々実験と研究を重ねた結果、隣り合って設置される座椅子を、特に座部の左右両側縁どおしでルーズな態様に連結可能なものとすることにより、最も簡易な構造上の改変で所期の目的を十全に達成しうることを見出し、本考案を完成し得るに至ったものである。
【０００８】
而して、本考案は、上記の課題に対し、下記の解決手段を提示するものである。
【０００９】
［１］床面に直接載置して使用される、背もたれ部の角度調節自在なクッション型座椅子であって、
座部の左右両側縁に、隣接配置される座椅子の座部の対応側縁と連結分離自在とする連結手段が設けられていることを特徴とする連結可能なクッション型座椅子。
【００１０】
［２］連結手段は、座部の両側縁から外方に突出して設けられた柔軟な素材からなる連結片と、該連結片の外方の先端部に設けられたファスナーとからなる前項［１］に記載の連結可能なクッション型座椅子。
【００１１】
［３］連結手段における前記連結片は、帯状布片からなり、その基端側の一側縁部が座部の側面部に該座部のほぼ全長に亘って逢着して取付けられてなる前項［２］に記載の連結可能なクッション型座椅子。
【００１２】
［４］前記連結片は、座部の側面部から外方に２０〜５０ｍｍの範囲で突出され、その先端部にファスナーが設けられてなる前項［１］〜［３］のいずれか１項に記載の連結可能なクッション型座椅子。
【００１３】
［５］前記ファスナーが線ファスナーからなる前項［１］〜［４］のいずれか１項に記載の連結可能なクッション型座椅子。
【考案の効果】
【００１４】
本考案に係る座椅子は、その１つづつにおいて従来の通常のクッション型座椅子と何ら変わることなく全く同様の用法用途に使用しうる。その際、外観体裁上も、座部の両側面に僅かに連結手段の付設が認められるだけであるから、何ら遜色がない。
【００１５】
その上で、本考案に係る座椅子は、２つあるいは３個以上を並べて設置する場合、隣接する座椅子どおしをそれらの座部の両側縁部で相互に連結しうる。従って、この連結状態では、隣接する単位座椅子どおしが徒らに離れることがなく、設置状態での位置的安定性を良好に維持しうると共に、外観体裁を損ねる心配もない。また１人あるいは２人以上で着座使用する際にも並列設置状態が乱れることがなく、良好な安定性を保つため使い心地が良いし体裁も良い。
【００１６】
また、上記の連結状態のもとで、各座椅子の背もたれ部を、ほぼ水平状態または水平に近い倒状状態にまで倒すことにより、２連以上の複数個の座椅子による広い面積をもったクッション性のマット状敷材を構成することができる。しかもこの面積の大きい敷材は、その座部側の一半部で相互連結されているため、全体が良好な一体性を保つ。従って外観体裁が良いのはもとより、該敷材上で寝そべったり、ストレッチ運動等を行う場合にも使い勝手がよい。
【００１７】
また、上記連結手段を柔軟な素材からなる突出状の連結片とファスナーとで構成する場合、連結状態時において隣接する座椅子どおしが直接に機械的な固縛状態に一体化されることがなく、若干の相対的変位を許容するルーズな連結状態が実現される。従って、隣接する２つ以上の座椅子に別々の人が着座して同時に使用するような場合において、一方の座椅子の使用者の体動が他方の座椅子に直接影響するのが防止ないし緩和される。つまり、隣り合う座椅子の一方の動きが他方の座椅子に直接的な影響を与えて強く干渉し合うことがないので、個々の座椅子の使用者の着座使用感を阻害することがない。
【００１８】
また、前記連結片を帯状布片で構成し、その一側縁を座部の側面部に全長に亘って逢着して取付けたものとする場合、相互連結した隣接する座椅子の連結状態の安定性を十全に良好なものとすることができると共に、連結片の取付けも座部の外方の縫製作業時に同時に行い得て有利である。
【００１９】
また、前記連結片の突出長さを２０〜５０ｍｍの範囲に設定することにより、隣接する座椅子相互を、過度の離間を防止しつつ必要かつ十分な程度のルーズな状態で連結可能なものとなし得る。
【００２０】
更にまた、ファスナーに、テープとエレメント（務歯）とスライダーとで構成される線ファスナーを用いる場合、座椅子どおしの連結作業を行い易く、しかも連結状態を不慮に分離しない強固かつ確かなものとなし得る。
【考案を実施するための最良の形態】
【００２１】
次に、この考案の好ましい１つの実施態様を添付図面を参照して説明する。
【００２２】
図１は本考案に係る２つの単位座椅子（１）（１）を連結状態で床面上に載置した使用状態を示す斜視図であり、図２はその平面図、図３及び図４は図２のIII−III線及びIV−IV線断面図である。
【００２３】
これらの図に示すように、本考案に係る１つの単位をなす座椅子（１）は、クッションマット状につくられた所要大の座部（２）と、その後縁に連接されている背もたれ部（３）とからなる。上記両部（２）（３）は、図３、４に示すように内部の金属製の座フレーム（２０）と背部フレーム（３０）とがラチェット金具と称される関節金具（４０）を介して連結されたものであることにより、相対的角度を可変調節しうるものとなされている。具体的には、水平状態に保持された座部（２）に対して、背もたれ部（３）を図４に鎖線で示すような座部と同一平面に位置する水平状態または水平に近い倒伏状態から、垂直に立ち上った起立状態までの間で、任意の傾斜角度に可変設定しうるものとなされている。座部（２）及び背もたれ部（３）は、上記金属フレーム（２０）（３０）を内在して、下面側にはやや硬質のウレタンフォームパネルまたはチップからなる第１クッション材（４）が配置され、上面側には柔軟なウレタンフォームからなる第２クッション材（５）が配置されて、全体が布製の外皮（６）で被覆縫製されることによって作製されたものである。
【００２４】
以上の構成は、従来公知の座椅子の構成と同様である。
【００２５】
本考案においては、上記各単位座椅子（１）の座部（２）の左右両側縁に連結手段（７）が設けられ、隣接して配置される座椅子（１）の座部（２）の対応側縁どおしを連結しうるものとなされている。
【００２６】
上記連結手段（７）の具体的な構成は、図示実施例に限定されるものではないが、図示の好適な実施態様において、該連結手段（７）は、柔軟な帯状布片からなる連結片（８）と、該連結片（８）の外方の一側縁に設けられた線ファスナー（９）とで構成されている。
【００２７】
帯状布片からなる連結片（８）は、座部（２）の側縁の奥行き長さに対応して、それよりやや短い長さを有するものとなされ、図３に示すように内方の一側縁が外皮（６）の側面縫合線に沿って合一的に外皮に縫合一体化して取付けられている。その結果、連結片（８）は、座部（２）の側方（外方）に連続舌片状に突出されたものとなされている。
【００２８】
この連結片（８）の突出量は、図１及び図３に示す突出長さ（L）において２０〜５０mmの範囲に設定するのが好適である。これが２０ｍｍ未満であると、連結状態において隣接する座椅子（１）（１）どおしの間の余裕が少なすぎるものとなり、相互の動きの干渉が出易いものとなって好ましくないし、連結・分離の操作も行いにくいものとなる。逆に５０ｍｍを超えて突出量が大きすぎると、連結状態において隣接する椅子（１）（１）どおしの間に大きな間隔が生じ、特にマット状に展開して使用するような場合に不具合を生じると共に、外観体裁上も好ましくない。好ましい突出長さは、概ね２５〜３５ｍｍ程度である。
【００２９】
ファスナー（９）には、線ファスナーが用いられている。即ち、テープ（９ａ）と、エレメント（務歯）（９ｂ）と、スライダー（９ｃ）とからなる一般にジッパーとも称されるものが用いられ、上記テープ（９ａ）を連結片（８）の外方の先端縁部に逢着することによって該連結片に一体に取付けられている。
【００３０】
本考案に係る上記座椅子（１）は単位座椅子の状態で個々に使用しうるほか、使用者の求めに応じて、２連あるいは３連以上を並べて床面上に載置して使用される。
【００３１】
この連設使用時において、隣接する座椅子（１）（１）どおしは、その座部（２）（２）が連結手段（７）をもって対応側縁部どおしを連結される。これによって、複数個の座椅子（１）（１）は全体として一体化され、着座使用時においても一体的な連結状態が保たれる。それでいて、連結手段（７）が柔軟な帯状布片からなる連結片（８）を用いたものであるため。隣接する椅子どおしの間で連結状態がある程度ルーズであり、相互の若干の相対的動きが許容される。従って、連結した２つの座椅子（１）（１）のそれぞれに２人が着座して使用しても、相互の動きが直接干渉し合うことがなく、個々の使用者において遜色のない良好な着座使用感を得ることができる。
【００３２】
そしてまた、設置場所の広さや形状に応じて、３つ以上の座椅子（１）（１）（１）を並べて設置使用することも自由である。このような場合の設置使用状態の例を図５〜７に示している。
【００３３】
図５および図６に示す設置使用例は、３つの単位椅子（１）（１）（１）を連結した状態で、設置場所の形状との関係で、隣接する座椅子の座部どおしの間を後方にいくに従って拡げた平面視略扇形状に設置した場合を示している。
【００３４】
また、図７は、逆に座部（２）（２）どおしの間を前方にいくに従って拡げた平面視逆略扇形状に設置した場合を示している。このような設置態様の変化は、連結手段（７）の連結片（８）が、フレキシブルな柔軟な素材で構成されていることによってはじめて可能となるものである。
【００３５】
以上説明した図示実施例は、本考案の好ましい実施態様の１つを示したものにすぎない。本考案はこの図示実施例の構成に限定されるものではない。
【００３６】
例えば、連結手段（７）は、座部（２）の左右両側縁の前端部と後端部の２個所に部分的なものとして設けても良いし、前後方向の中間部に、座部（２）の側縁の全長の１／２〜１／３程度の長さ領域に亘って１個だけに設けるものとしても良い。
【００３７】
また、連結手段（７）における連結片（８）の素材も、図示実施例のような柔軟な帯状布片に限定されるものではなく、皮革、人造皮革、合成樹脂シート、強化不織布等で構成しても良い。ただ、硬質の金属や合成樹脂を用いることは好ましくない。
【００３８】
また、連結片（８）の先端に設けられるファスナー（９）も、線ファスナーに代えて、面ファスナー、釦、雌雄嵌合ジョイント等を用いても良い。
【図面の簡単な説明】
【００３９】
【図１】本考案に係るクッション型座椅子を、２つの連結状態において示した斜視図である。
【図２】図１の連結状態の平面図である。
【図３】図２のIII−III線の断面図である。
【図４】図２のIV−IV線の断面図である。
【図５】３つの座椅子を連結した設置態様の一例を示した斜視図である。
【図６】図５の設置態様の平面図である。
【図７】３つの座椅子を連結した設置態様の他の例を示した平面図である。
【符号の説明】
【００４０】
１・・・・座椅子
２・・・・座部
３・・・・背もたれ部  
７・・・・連結手段（連結部材）
８・・・・連結片
９・・・・ファスナー
【図１】
0003138964.tif 000003
【図２】
0003138964.tif 000004
【図３】
0003138964.tif 000005
【図４】
0003138964.tif 000006
【図５】
0003138964.tif 000007
【図６】
0003138964.tif 000008
【図７】
0003138964.tif 000009